(57)【要約】【課題】  汎用のアプリケーションソフトウェアにより携帯通信端末への宛先転送を可能とする。【解決手段】  メール文書中の通信アドレスに対し該通信アドレスの通信種別に対応したハイパーリンクを設定する携帯通信端末と、該携帯通信端末の電子メールアドレスおよび所定の連絡先の通信アドレスを記憶する情報処理装置とを備える。情報処理装置は、携帯通信端末が通信アドレスの通信種別を識別するためのタグ文字を保持するタグ文字保持部と、自装置に記憶されている通信アドレスをユーザに提示する宛先画面表示部と、ユーザ指定された通信アドレスの通信種別を判定するユーザ指定判定部と、当該通信種別に対応するタグ文字と通信アドレスとを記載したメール文書を生成するメール生成部と、メール文書を携帯通信端末の電子メールアドレスに宛てて送信するメール送信部とを有する。【選択図】      図２
2005269047.tif 000002
【特許請求の範囲】
【請求項１】
メール文書中の通信アドレスに対し該通信アドレスの通信種別に対応したハイパーリンクを設定する携帯通信端末の電子メールアドレスと所定の連絡先の通信アドレスとを予め記憶する情報処理装置が、自装置に記憶されている通信アドレスをユーザに提示するための宛先画面を表示し、該宛先画面においてユーザ指定された通信アドレスの通信種別を判定し、当該通信種別を前記携帯通信端末が識別するためのタグ文字と前記指定された通信アドレスとを記載したメール文書を生成し、該メール文書を前記携帯通信端末の電子メールアドレスに宛てて送信することを特徴とする宛先転送方法。
【請求項２】
前記情報処理装置が、前記宛先画面の通信アドレスとして電話番号を表示することを特徴とする請求項１記載の宛先転送方法。
【請求項３】
前記情報処理装置が、前記宛先画面の通信アドレスとして電子メールアドレスを表示することを特徴とする請求項１記載の宛先転送方法。
【請求項４】
前記情報処理装置が、前記通信アドレスをアンカー文字とするハイパーテキスト形式の画面を前記宛先画面として表示し、前記メール文書を生成するとき、当該アンカー文字を前記通信アドレスとして記載することを特徴とする請求項１記載の宛先転送方法。
【請求項５】
前記情報処理装置が、前記メール文書の生成を完了したとき該メール文書を編集可能に表示し、該メール文書をユーザの送信指示に基づき送信することを特徴とする請求項１記載の宛先転送方法。
【請求項６】
メール文書中の通信アドレスに対し該通信アドレスの通信種別に対応したハイパーリンクを設定する携帯通信端末と、該携帯通信端末の電子メールアドレスおよび所定の連絡先の通信アドレスを記憶する情報処理装置とを備え、
前記情報処理装置は、前記携帯通信端末が通信アドレスの通信種別を識別するためのタグ文字を保持するタグ文字保持部と、自装置に記憶されている通信アドレスをユーザに提示するための宛先画面を表示する宛先画面表示部と、前記宛先画面においてユーザ指定された通信アドレスの通信種別を判定するユーザ指定判定部と、当該通信種別に対応するタグ文字を前記タグ文字保持部から取得し該タグ文字と前記指定された通信アドレスとを記載したメール文書を生成するメール生成部と、該メール生成部が生成したメール文書を前記携帯通信端末の電子メールアドレスに宛てて送信するメール送信部とを有することを特徴とする宛先転送システム。
【請求項７】
前記宛先画面表示部は、前記宛先画面の通信アドレスとして電話番号を表示することを特徴とする請求項６記載の宛先転送システム。
【請求項８】
前記宛先画面表示部は、前記宛先画面の通信アドレスとして電子メールアドレスを表示することを特徴とする請求項６記載の宛先転送システム。
【請求項９】
前記宛先画面表示部は、前記通信アドレスをアンカー文字とするハイパーテキスト形式の画面を前記宛先画面として表示し、
前記メール生成部は、当該アンカー文字を前記通信アドレスとして前記メール文書に記載することを特徴とする請求項６記載の宛先転送システム。
【請求項１０】
前記メール送信部は、ユーザが当該メール文書の編集及び送信指示を行うための電子メールクライアント手段を有することを特徴とする請求項６記載の宛先転送システム。
【請求項１１】
メール文書中の通信アドレスに対し該通信アドレスの通信種別に対応したハイパーリンクを設定する携帯通信端末の電子メールアドレスと所定の連絡先の通信アドレスとを予め記憶する情報処理装置であって、
前記携帯通信端末が通信アドレスの通信種別を識別するためのタグ文字を保持するタグ文字保持部と、自装置に記憶されている通信アドレスをユーザに提示するための宛先画面を表示する宛先画面表示部と、前記宛先画面においてユーザ指定された通信アドレスの通信種別を判定し当該通信種別に対応するタグ文字を前記タグ文字保持部から取得し該タグ文字と前記指定された通信アドレスとを記載したメール文書を生成するメール生成部と、該メール生成部が生成したメール文書を前記携帯通信端末の電子メールアドレスに宛てて送信するメール送信部とを有することを特徴とする情報処理装置。
【請求項１２】
コンピュータを請求項１１に記載の情報処理装置として機能させることを特徴とするプログラム。
【発明の詳細な説明】
【技術分野】
【０００１】
本発明は、コンピュータの汎用アプリケーションソフトウェアにおける電話帳機能が宛先データとして管理する電話番号のような通信アドレスを携帯通信端末へ転送する方法、及び、その方法を実施するためのシステムに関する。
【背景技術】
【０００２】
従来、ユーザの携帯通信端末に他ユーザの通信アドレスを通知する方法が提案されている。例えば、後述の特許文献１では、自己の携帯電話装置の電話番号等が記録された補助装置を他ユーザの装置に装着することにより、自装置の電話番号等を他ユーザの装置の電話帳に登録するという方法が開示されている。
【０００３】
また、後述の特許文献２では、移動体通信端末が、電話番号や電子メールアドレスを含むメール文書を他端末から受信したとき、これらの電話番号等を文書から検出して電話帳へ登録するという方法が開示されている。
【特許文献１】特開２００２−３７４３３２号公報
【特許文献２】特開２００１−１１１６７２号公報
【発明の開示】
【発明が解決しようとする課題】
【０００４】
パーソナルコンピュータのアプリケーションソフトウェアが有する宛先データを使って携帯電話から電話をかけるような場合には事前に携帯電話へ電話帳を登録する必要がある。このため、携帯電話へ電話帳を登録するソフトウェアや、上記の特許文献１及び２の方法を使うことになるが、これを行うためには、あらかじめ宛先データをＣＳＶ（Comma Separated Values）や、各々の特許文献で既定されているようなファイル形式に変換するという前処理を必要とされる。
【０００５】
よって、例えば、パーソナルコンピュータの宛先データを携帯通信端末へ転送しようとするとき、このコンピュータの汎用のアプリケーションソフトウェアがＣＳＶ形式の変換機能を有しない場合、携帯通信端末に宛先データを適正に通知することが困難となる。
【０００６】
本発明は、上記課題に鑑みてなされたものであり、汎用アプリケーションソフトウェアで取り扱う宛先データを簡便に携帯通信端末へ通知し得る方法、及びこの方法を実施するに好適なシステムを提供することを目的とする。
【課題を解決するための手段】
【０００７】
本発明に係る宛先転送方法は、メール文書中の通信アドレスに対し該通信アドレスの通信種別に対応したハイパーリンクを設定する携帯通信端末の電子メールアドレスと所定の連絡先の通信アドレスとを予め記憶する情報処理装置が、自装置に記憶されている通信アドレスをユーザに提示するための宛先画面を表示し、該宛先画面においてユーザ指定された通信アドレスの通信種別を判定し、当該通信種別を前記携帯通信端末が識別するためのタグ文字と前記指定された通信アドレスとを記載したメール文書を生成し、該メール文書を前記携帯通信端末の電子メールアドレスに宛てて送信する。
【０００８】
本発明に係る宛先転送システムは、メール文書中の通信アドレスに対し該通信アドレスの通信種別に対応したハイパーリンクを設定する携帯通信端末と、該携帯通信端末の電子メールアドレスおよび所定の連絡先の通信アドレスを記憶する情報処理装置とを備え、前記情報処理装置は、前記携帯通信端末が通信アドレスの通信種別を識別するためのタグ文字を保持するタグ文字保持部と、自装置に記憶されている通信アドレスをユーザに提示するための宛先画面を表示する宛先画面表示部と、前記宛先画面においてユーザ指定された通信アドレスの通信種別を判定するユーザ指定判定部と、当該通信種別に対応するタグ文字を前記タグ文字保持部から取得し該タグ文字と前記指定された通信アドレスとを記載したメール文書を生成するメール生成部と、該メール生成部が生成したメール文書を前記携帯通信端末の電子メールアドレスに宛てて送信するメール送信部とを有する。
【発明の効果】
【０００９】
本発明によれば、メール文書のデータファイルをＣＳＶのようなファイル形式に変換する機能を有しない情報処理装置であっても、ユーザによる簡易的な操作により、所定の通信アドレスを携帯通信端末へ適正に転送することができる。これにより、迅速で確実な電話や電子メールによるコミュニケーションが可能となる。
【発明を実施するための最良の形態】
【００１０】
［実施例］
以下、本発明の実施例について図面を用いて詳細に説明する。図１は、本発明に係る宛先転送システムの実施例の構成を示すブロック図である。実施例のシステム１００は、図１に示すように、本発明に係る情報処理装置としてのパーソナルコンピュータ（以下、単に「ＰＣ」と称する。）１０１と、ＰＣ１０１にて送受信する電子メールをインターネット１０９へ中継するメールサーバ１０８と、携帯電話網１１０に接続された携帯電話１１２と、公衆電話網１１１に接続された宛先電話機１１３と、インターネット１０９に接続された宛先ＰＣ１１４とを備える。
【００１１】
ＰＣ１０１は、そのハードウェア構成として、キーボード及びマウスのような入力デバイス１０６と、液晶ディスプレイ装置のような表示デバイス１０７とを備える。
【００１２】
携帯電話１１２は、本発明における携帯通信端末に対応し、宛先電話機１１３や宛先ＰＣ１１４の通信アドレスをＰＣ１０１から転送される端末である。携帯電話１１２は、電子メールを受信したとき、メール文書中の電話番号や電子メールアドレスのような通信アドレスに対し、その通信種別に対応したハイパーリンクを設定する機能を有する。
【００１３】
図２に、ＰＣ１０１のソフトウェア構成を示す。ＰＣ１０１は、図２に示すように、オペレーティングシステム２０３と、このオペレーティングシステム２０３上で実行される汎用アプリケーションソフトウェア（以下、単に「汎用ＡＰ」と称する。）２０１及び宛先転送手段２１０とを有する。
【００１４】
汎用ＡＰ２０１は、所定の連絡相手の電話番号や電子メールアドレスのような通信アドレスを宛先データとして管理する、いわゆる電話帳機能を有し、その宛先データが収められた電話帳２０２から表示デバイス１０７へ宛先データを画面表示する。この汎用ＡＰ２０１の作用により、本発明に係る宛先画面表示部の機能が果たされる。
【００１５】
図３に、汎用ＡＰ２０１が電話帳２０２の宛先データを表示デバイス１０７に画面表示した例を示す。図示のウィンドウ３０１は、本発明における宛先画面に対応するものであり、そこに提示されている宛先データ３０２は、図１に示す宛先電話機１１３及び宛先ＰＣ１１４を通信手段とする「日電太郎」の通信アドレスである。ウィンドウ３０１には、電話番号３０３として「01-2345-6789」が表示され、その下段に、メールアドレス３０４として、電子メールのハイパーリンクが設定された「taro＠nitiden.co.jp」がアンカー表示されている。そして、入力デバイス１０６のマウスにより制御されるカーソル３０５が、メールアドレス３０４上に置かれている。
【００１６】
宛先転送手段２１０は、図２に示すように、その機能構成として、入力デバイス１０６から入力されるカーソル位置の情報及びボタンクリックの情報をオペレーティングシステム２０３を介して監視する入力デバイス監視部２１１と、携帯電話１１２が電話帳２０２の宛先データの通信種別を識別するための後述のタグ文字を記憶するタグ文字保持部２１２と、宛先転送手段２１０の機能を制御する制御部２１３と、携帯電話１１２の電子メールアドレスを記憶する携帯電話メールアドレス保持部２１４と、従来知られた通信プロトコルであるＳＭＴＰ（Simple Mail Transfer Protocol）により電子メールの文書をメールサーバ１０８へ送信するＳＭＴＰ送信制御部２１５とを備える。
【００１７】
入力デバイス監視部２１１は、本発明におけるユーザ指定判定部の機能を果たすものであり、図３に示すウィンドウ３０１上でのカーソル３０５の位置と、その際の特定のマウス操作あるいはキー操作の内容とに基づき、ウィンドウ３０１上で何れの通信種別の通信アドレスが指定されるのかを監視する。具体的には、カーソル３０５が置かれている位置の前後にある文字列、あるいは、マウスにより範囲指定された部分の文字列を読み取り、当該文字列が、例えば「−」や「（  ）」のような区切り文字と数字とから成るものであれば、それが電話番号であると判断し、また、「＠」を含む英数字から成るものであればメールアドレスであると判断する。また、図３のメールアドレス３０４のようなアンカー表示箇所がユーザ指定された場合は、そのハイパーリンク設定における「mailto:」のようなソース部分に基づき通信種別を判定する。
【００１８】
タグ文字保持部２１２にて記憶するタグ文字とは、上記したように、携帯電話１１２が通信アドレスの通信種別、すなわち電話か電子メールかを識別するために用いる文字列であり、携帯電話１１２側にて認識可能な文字列をタグ文字としてタグ文字保持部２１２に登録しておく。システム１００においては、タグ文字として、通信アドレスが電話番号である場合は「tel:」、また、通信アドレスが電子メールアドレスである場合は「mail:」を用いるが、本発明を実施するにあたっては、この例に限らず、対象となる携帯通信端末の仕様に応じて適宜設定することができる。
【００１９】
なお、本発明におけるタグ文字とは、従来知られたＨＴＭＬ（Hyper Text Markup Language）のようなプログラム言語で用いるタグとは性質を異にするものであり、後に説明するように、メール文書中に実際に記載される文字列である。
【００２０】
制御部２１３は、本発明におけるメール生成部の機能を果たし、入力デバイス監視部２１１で判定された通信種別に対応するタグ文字をタグ文字保持部２１２から取得し、このタグ文字と、図３のようなウィンドウ３０１上でユーザ指定された通信アドレスとを記載したメール文書を生成する。また、携帯電話メールアドレス保持部２１４から携帯電話１１２のメールアドレスを取得して、これを先のメール文書の宛先として付与し、該メール文書をＳＭＴＰ送信制御部２１５を介して携帯電話１１２へ送信する。
【００２１】
本発明に係る宛先転送方法をシステム１００に適用した場合の動作手順を、図４のフローチャートに沿って説明する。ここでは、ＰＣ１０１のオペレータが汎用ＡＰ２０１を使った業務を実行中に、図３に示す宛先データ３０２を使って携帯電話１１２から宛先電話機１１３へ電話をかける、あるいは宛先ＰＣ１１４へ電子メールを送ることを想定する。
【００２２】
まず、ＰＣ１０１の汎用ＡＰ２０１が、電話帳２０２の宛先データ３０２のウィンドウ３０１を表示デバイス１０７に表示すると（ステップＳ１）、宛先転送手段２１０の入力デバイス監視部２１１は、オペレータによる入力デバイス１０６の操作内容を監視する。その結果、例えばマウスの右クリックにより展開される特定のメニューの選択、あるいは、キーボード上の特定キーの押下といった、所定の入力操作を検知したとき（ステップＳ２）、これを宛先転送指示と判断し、対象となる通信アドレスの取得およびその通信種別を判定する手順に移る（ステップＳ３）。その手順を図５のフローチャートに示す。
【００２３】
入力デバイス監視部２１１は、カーソル３０５が置かれているウィンドウ３０１のアプリケーション名、すなわち汎用ＡＰ２０１の種類を取得し（ステップＡ１）、その種類が宛先転送手段２１０にて取り扱い可能なものであるかを判定し、可能であれば（ステップＡ２：ＹＥＳ）、カーソル３０５の前後あるいは範囲指定されているウィンドウ箇所のテキストデータを取得する（ステップＡ３）。このとき、メールアドレス３０４のようなアンカー表示箇所であれば、そのソースを取得する。
【００２４】
さらに、取得したデータに対し、上述した数字や区切り文字等の有無（ステップＡ４）あるいは「＠」等の有無（ステップＡ５）を判定することにより、当該データの通信種別を判断する。その結果、通信種別が電話の場合は、当該データから数字を抽出し（ステップＡ６）、また、電子メールの場合は、メールアドレスを抽出し（ステップＡ７）、抽出した通信アドレスと、その通信種別とを制御部２１３へ渡す。このとき、電話番号３０３及びメールアドレス３０４の両方が指定されている場合は、それぞれについて上述の処理を行い、電話番号およびメールアドレスを渡す。
【００２５】
図４のフローチャートに戻り、制御部２１３は、入力デバイス監視部２１１から受けた当該通信アドレスの通信種別に対応したタグ文字をタグ文字保持部２１２から取得し（ステップＳ４）、このタグ文字と、当該通信アドレスとを記載したメール文書を生成する（ステップＳ５）。
【００２６】
図６に、制御部２１３が生成したメール文書の一例を示す。図示のメール文書５０１は、ウィンドウ３０１にて電話番号３０３及びメールアドレス３０４の双方が指定された例であり、図示するように、電話番号を示すタグ文字の「tel:」が「01-2345-6789」に付与され、メールアドレスを示すタグ文字の「mail:」が「taro＠nitiden.co.jp」に付与されている。
【００２７】
制御部２１３は、図６のように作成したメール文書と、携帯電話メールアドレス保持部２１４から取得した携帯電話１１２の電子メールアドレスとをＳＭＴＰ送信制御部２１５に渡し、携帯電話１１２に宛ててメール文書を送信するよう指示する（ステップＳ６）。これにより、ＰＣ１０１における宛先転送に関する一連の処理が終了する。
【００２８】
その後、携帯電話１１２がメール文書を受信したとき、携帯電話１１２は、文書中に記載されている通信アドレスの通信種別を、上述の「tel:」や「mail:」のようなタグ文字に基づき判断し、その通信種別に対応したハイパーリンク設定を行う。その結果、携帯電話１１２には、「01-2345-6789」及び「taro＠nitiden.co.jp」がアンカー表示された図７に示すような受信メール画面５０２が表示される。これらのアンカー表示箇所が指定されることにより、宛先電話機１１３や宛先ＰＣ１１４に対し、受信メール画面５０２上から自動的に電話発信あるいはメール発信する手順に移行することができる。
【００２９】
以上説明したシステム１００によれば、ＰＣ１０１上で動作する汎用ＡＰ２０１において特殊な改造を施すことなく、オペレータの簡易的な操作で宛先データを携帯電話１１２へ転送することができる。これにより、迅速で確実な電話や電子メールによるコミュニケーションが可能となる。また、携帯電話１１２に転送された電話番号や電子メールアドレスを携帯電話の電話帳へ登録することも容易となるので、登録ミスを防止できるという効果もある。
【００３０】
［他の実施例］
上記説明した実施例では、メール文書５０１をＳＭＴＰ送信制御部２１５により送信したが、メール文書の送信を、汎用的な電子メールクライアントにより行うことも可能である。その場合、本発明に係る情報処理装置として、図８に示すようなＰＣ１０１ａを用いる。上記実施例のＰＣ１０１との差異は、宛先転送手段２１０のＳＭＴＰ送信制御部２１５に代えて、電子メールクライアント７０１が設けられている点にある。
【００３１】
図８のＰＣ１０１ａからメール文書５０１を送信する際には、制御部２１３が電子メールクライアント７０１に対して、メール文書５０１と携帯電話メールアドレス保持部２１４のメールアドレスとをパラメータにした電子メールの新規作成を指示する。そして、新規作成されたメールをオペレータ操作により携帯電話１１２へ送信する。
【００３２】
図９は、電子メールクライアント７０１により新規作成されたメールが表示されたウィンドウ７０２である。本実施例によれば、メール文書５０１に図示の例のようなコメントや他の送信先を追記する等、携帯電話１１２へ送信すべきメール文書の内容をオペレータが適宜編集することができる。これは、例えば、ＰＣ１０１ａのオペレータが、該オペレータと異なる人物の携帯電話１１２に宛先データを転送する場合などに好適である。
【００３３】
本発明は、上記説明した各実施例に限らず、例えば、宛先データを有するスケジューラ、グループウェア、顧客管理ソフトウェア、ボタン電話機のＣＴＩアプリケーション、ＩＰ電話システムのソフトウェア、電話クライアント等の付属ソフトウェア等を利用する種々の用途に適用することができる。
【図面の簡単な説明】
【００３４】
【図１】本発明による実施例の宛先転送システムのブロック図である。
【図２】実施例のＰＣの構成を示すブロック図である。
【図３】実施例の宛先データを説明するための説明図である。
【図４】本発明による実施例の宛先転送方法のフローチャートである。
【図５】実施例の入力デバイス監視部の動作手順のフローチャートである。
【図６】実施例のメール文書を説明するための説明図である。
【図７】実施例の携帯電話における受信メール画面の説明図である。
【図８】本発明による他の実施例のＰＣの構成を示すブロック図である。
【図９】他の実施例の電子メールクライアントを説明するための説明図である。
【符号の説明】
【００３５】
１００  宛先転送システム
１０１  ＰＣ
１０６：入力デバイス、１０７：表示デバイス
１０８  メールサーバ
１０９  インターネット
１１０  携帯電話網
１１１  公衆電話網
１１２  携帯電話
１１３  宛先電話機
１１４  宛先ＰＣ
２０１  汎用ＡＰ
２０２  電話帳
２０３  オペレーティングシステム
２１０  宛先転送手段
２１１：入力デバイス監視部、２１２：タグ文字保持部、２１３：制御部、２１４：携帯電話メールアドレス保持部、２１５：ＳＭＴＰ送信制御部
【図１】
2005269047.tif 000003
【図２】
2005269047.tif 000004
【図３】
2005269047.tif 000005
【図４】
2005269047.tif 000006
【図５】
2005269047.tif 000007
【図６】
2005269047.tif 000008
【図７】
2005269047.tif 000009
【図８】
2005269047.tif 000010
【図９】
2005269047.tif 000011